(57)【要約】      （修正有）【課題】主たる構成部材をシンプルな構造として部品点数及び製作コストの削減を図りながら、デザイン性も損なわず家具の引戸への取り付けが容易に行える簡易ロック付引戸を提供する。【解決手段】家具の開口部を開閉する左右一対の引戸１Ａ，１Ｂの内、右引戸１Ａの側面左端部に取りつけた家具用簡易ロック付引戸のロックのスイッチ部を押すことにより、スイッチ部と機能的に連動するよう構成された突起部が飛び出て、左戸板の右側の小口に当りロックする。ロックを解除するときは、スイッチ部をもう一度押し解除するよう構成する。もって、これら一対の引戸が戸閉止状態時に確実にロックすることが可となる。【選択図】図１
0003149977.tif 000002
【実用新案登録請求の範囲】
【請求項１】
家具の開口部を開閉する左右一対の引戸を備え、これら一対の引戸が戸閉止状態時に確実にロックすることが可能なロック機能を持ち、右引戸の側面左端部に凸部の突出具で施錠できる器具を備えていることを特徴とする家具用簡易ロック付引戸。
【請求項２】
請求項１において、家具に使用できる引戸の大きさとして、幅２００ｍｍ〜１０００ｍｍ高さ２００ｍｍ〜２０００ｍｍであり、右引戸の側面左端部にロックを設置していることを特徴とする家具用簡易ロック付引戸。
【請求項３】
請求項１において、右引戸の側面左端部に設置されている簡易ロックは、１〜３個を設置されていることを特徴とする家具用簡易ロック付引戸。
【請求項４】
凸部の突出具のでるロック機能を持つ器具は、金属、あるいは樹脂からなり、バネでスイッチ部が出入りできるプッシュ機構になっている請求項１又は３に記載の家具用簡易ロック付引戸。
【考案の詳細な説明】
【技術分野】
【０００１】
本考案は、家具の開口部を開閉する左右一対の引戸を備え、これら一対の引戸が戸閉止状態時に確実にロックすることが可能なロック機能を持つ引戸で、開放状態では前後に引き違い状態となる簡易ロック付引戸装置に関する。
【背景技術】
【０００２】
従来、家具の開口部を開閉する引戸はロックが付いていないものが多く、また、ロックが付いていても施錠する機能の為、加工を行なう上でも様々な加工の制限があり、容易に取付けれる機能ではなく（特許文献１参照）、また、正面からのデザイン性も損なわれる。それに、鍵を紛失し開閉出来ない等の問題があった。
【先行技術文献】
【特許文献】
【０００３】
【特許文献１】特開平７−１５０８３８
【考案の概要】
【考案が解決しようとする課題】
【０００４】
しかしながら、上記従来のロック付引戸装置は、構造がそれぞれ複雑でしかも部品点数も多いため、製作コストが嵩むだけでなく、家具の引戸への取り付けが極めて煩雑でありデザイン性に欠けるといった問題があった。
【０００５】
本考案は上記従来の問題点を解決すべく考案されたものであり、上記した主たる構成部材をシンプルな構造として部品点数及び製作コストの削減を図り、家具のデザイン性を損なわないことができるとともに、家具の引戸への取り付けが容易に行える簡易ロック付引戸を提供することを目的としている。
【課題を解決するための手段】
【０００６】
上記課題を解決するため、本考案の簡易ロック付引戸は、家具の開口部を開閉する左右一対の引戸を備え、これら一対の引戸が戸閉止状態時に確実にロックすることが可能なロック機能を持つ引戸で、右引戸の側面左端部に凸部の突起部のでるロック機能を持つ器具を備えている家具用簡易ロック付引戸である。
【０００７】
本考案の簡易ロック付引戸は、家具に使用できる機能であって、左右一対の引戸の右引戸の側面左端部に、凸部の突起部のでるロック機能を持つ器具で、幅３０〜１００ｍｍ高さ３０〜１５０ｍｍ厚み１０〜３０ｍｍのプッシュ式簡易ロックを１〜３個設置する。好ましくは幅４０〜８０ｍｍ高さ４０〜７０ｍｍ厚み１５〜２５ｍｍのプッシュ式簡易ロックである。
【０００８】
凸部の突起部のでるロック機能を持つ器具は、金属、あるいは樹脂からなり、プッシュ機構になっている、また、プッシュ機構により容易に引戸の施錠と開錠が行なうことが出来、設置する為の加工は、右引戸の側面左端部のみの切削加工で製造コストを抑えることが出来る。
【０００９】
右引戸の側面左端部に設置することにより、正面から器具が見え難い為、家具の持つ意匠性を損なわない。
【考案の効果】
【００１０】
本考案の家具用簡易ロック付引戸は、プッシュ式簡易ロックを右戸板のみに加工し取付けるので、家具本体を加工したり、左右の戸板を加工したりする必要が無いので、加工コストの削減や、加工時間の短縮が出来る。
【図面の簡単な説明】
【００１１】
【図１】本考案の家具用簡易ロック付引戸家具を示した正面図である。
【図２】家具用簡易ロック付引戸のロックを示した（ａ）平面図（ｂ）正面図（ｃ）側面図である。
【図３】ロック機構を示した家具用簡易ロック付引戸の右戸板の斜視図である。
【図４】家具用簡易ロック付引戸の（ａ）施錠状態（ｂ）開錠状態を示した上面図である。
【図５】家具用簡易ロック付引戸のロックの内部構造を示した平面図である。
【図６】ロックを２個使用した家具用簡易ロック付引戸家具を示した正面図である。
【考案を実施するための形態】
【００１２】
以下、本考案の実施の形態について、図面を参照して説明する。
図１は、本考案の家具用簡易ロック付引戸を示した図である。図２〜図５は、家具用簡易ロック付引戸の種々の状態を示した詳細図である。各図において同一部材あるいは同一部分には同一参照番号が付されている。図２は、家具用簡易ロック付引戸のロックを示した（ａ）平面図（ｂ）正面図（ｃ）側面図、図３は、家具用簡易ロック付引戸の右戸板とロックを示した平面図、図４は、家具用簡易ロック付引戸の（ａ）施錠状態（ｂ）開錠状態を示した上面図、図５は、家具用簡易ロック付引戸のロックの内部構造を示した平面図である。図６は、ロックを２個使用した家具用簡易ロック付引戸家具を示した正面図である。
【００１３】
家具用簡易ロック付引戸の戸板の基材は、ＭＤＦボード、無垢の木製板や集成材、アルミであり、サイズは、幅２００ｍｍ〜１０００ｍｍ高さ２００ｍｍ〜２０００ｍｍ厚み１５ｍｍ〜３０ｍｍ縦框の幅４５ｍｍ〜３００ｍｍである。
【実施例１】
【００１４】
図１で示す家具用簡易ロック付引戸家具の引戸の大きさは、高さ５４５ｍｍ幅５６４ｍｍ厚み２６．５ｍｍ縦框５０ｍｍであり、その材料はＭＤＦボードを使用し前面部にはＰＳ板を使用している。図２で示す家具用簡易ロック付引戸のロック機構は、幅４５ｍｍ高さ５８ｍｍ厚み１７ｍｍで、スイッチ部を押すことにより突起部が飛び出る仕組みになっている。図３で示すように引戸の右戸板の左側の縦框の中心に高さ３５ｍｍ幅４０ｍｍ深さ１３ｍｍの穴を加工し、家具用簡易ロック付引戸のロックをビスで取付ける。
【００１５】
図４で示すように戸閉止状態時に、引戸の右戸板の左側に取付けた家具用簡易ロック付引戸のロックのスイッチ部を押すことにより、突起部が飛び出て左戸板の右側の小口に当りロックをする。また、ロックを解除する時は、スイッチ部をもう一度押して解除する。その仕組みとして、図５で示すように家具用簡易ロック付引戸のロックの内部構造は、バネでスイッチ部が出入りするようになっていて、それに連動して突起部がスイッチ部のガイドを通じて出入りをする。その使用時の効果として、施錠状態の時は戸板が開くことは無かった。また、家具を傾けても引戸が開くことは無かった。
【実施例２】
【００１６】
図６で示す家具用簡易ロック付引戸家具の引戸の大きさは、高さ１５４５ｍｍ幅５７６ｍｍ厚み２６．５ｍｍであり、その材料はＭＤＦボードを使用し前面部にはガラスを使用している。引戸の右戸板の左側の縦框に上下１００ｍｍを中心に２箇所に高さ３５ｍｍ幅４０ｍｍ深さ１３ｍｍの穴を加工し、プッシュ式簡易ロックを２個ビスで取付ける。その家具の使用時の効果として、施錠状態の時は戸板が開くことは無かった。また、家具を傾けても引戸が開くことは無かった。
【実施例３】
【００１７】
家具用簡易ロック付引戸家具の引戸の大きさは、高さ５４３ｍｍ幅５８５ｍｍ厚み２４．５ｍｍ縦框４５ｍｍであり、その材料はアルミを使用して、引戸の右戸板の左側の縦框の中心にプッシュ式簡易ロックを１個ビスで取付けて施錠した。その使用時の効果として、施錠状態の時は戸板が開くことは無かった。また、家具を傾けても引戸が開くことは無かった。
【実施例４】
【００１８】
家具用簡易ロック付引戸家具の引戸の大きさは、高さ１１２３ｍｍ幅５８５ｍｍ厚み２６ｍｍ縦框５５ｍｍであり、その材料は木材を使用して、引戸の右戸板の左側の縦框の中心にプッシュ式簡易ロックを１個ビスで取付けて施錠した。その使用時の効果として、施錠状態の時は戸板が開くことは無かった。また、家具を傾けても引戸が開くことは無かった。
【符号の説明】
【００１９】
１Ａ 右戸板
１Ｂ 左戸板
２ プッシュ式簡易ロック
３ 突起部
４ ビス穴
５ スイッチ部
６ 引戸用ローラー
７ ＰＳ板
８ アルミ押え
９ バネ
【図１】
0003149977.tif 000003
【図２】
0003149977.tif 000004
【図３】
0003149977.tif 000005
【図４】
0003149977.tif 000006
【図５】
0003149977.tif 000007
【図６】
0003149977.tif 000008